(57)【要約】【課題】薄型発光体と枠体から成る照明装置を組み合わせ一組の照明装置として使用する場合において、少ない電力で室内を効率よく照明する。【解決手段】枠体５を構成する任意の辺の内部若しくは表面に他の枠体と連結及び分離可能な永久磁石６を設け、照明装置８の枠体と反射装置９の枠体を連結可能な構成とした。また、反射装置９は少なくとも１ケの照明装置８と隣り合うよう配設し、照明装置８から照射される光を正面側に反射させるものとした。【選択図】図６
2014164962.tif 000002
【特許請求の範囲】
【請求項１】
平面状の発光面を有した多角形状の薄型発光体と、薄型発光体の端面を囲んで形成される枠体と、前記枠体の辺の内部若しくは外側面に他の枠体と連結及び分離可能な永久磁石が設けられた着脱手段とから成る照明装置と、前記薄型発光体の外形寸法と近似する反射板と、反射板の端面を前記照明装置と同一の枠体で囲んで構成される反射装置とを用いた照明装置において、前記任意数の照明装置と任意数の反射装置の枠体同士が前記着脱手段で連結されて一組を成すことを特徴とする照明装置。
【請求項２】
前記照明装置は少なくとも１ケの反射装置と隣り合うよう配設され、照明装置から照射される光を正面側に反射させることを特徴とする請求項１記載の照明装置。
【発明の詳細な説明】
【技術分野】
【０００１】
本発明は薄型発光体を用いた照明装置に関する。
【背景技術】
【０００２】
照明装置の筐体の外周面に複数の筐体同士を分離可能に連結する介在部材が配設され、筐体内部から投光された光が外部へ出射可能な光透過性を有する材料により筐体が形成されている。
【先行技術文献】
【特許文献】
【０００３】
【特許文献１】特開２００６−１６４８２７号公報
【発明の概要】
【発明が解決しようとする課題】
【０００４】
従来技術は筐体の内部に光源を設けた箱型形状の照明装置に関するものであり、薄型発光体とその端面を囲んで形成する枠体とから成る照明装置の連結方法については検討されていない。また、複数の薄型発光体を連結して一組の照明装置として使用する場合における、消費電力の低減を目的とした解決手段の検討も成されていない。
【０００５】
本発明の目的は、薄型発光体と枠体から成る照明装置を組み合わせ一組の照明装置として使用する場合において、枠体の任意の辺と他の照明装置の枠体の任意の辺を簡易に連結及び分離可能とし、特別な連結金具や連結工具を用いることなく誰でも簡単に連結及び分離作業を行うことができ、少ない電力で室内を効率よく照明することができる省エネ性の高い照明装置を提供することにある。
【課題を解決するための手段】
【０００６】
上記目的を達成するため、請求項１に記載の発明は、平面状の発光面を有した多角形状の薄型発光体と、薄型発光体の端面を囲んで形成される枠体と、前記枠体の辺の内部若しくは外側面に他の枠体と連結及び分離可能な永久磁石が設けられた着脱手段とから成る照明装置と、前記薄型発光体の外形寸法と近似する反射板と、反射板の端面を前記照明装置と同一の枠体で囲んで構成される反射装置とを用いた照明装置において、前記任意数の照明装置と任意数の反射装置の枠体同士が前記着脱手段で連結されて一組を成す照明装置とした。
【０００７】
また、請求項２に記載の発明では、前記照明装置は少なくとも１ケの反射装置と隣り合うよう配設され、照明装置から照射される光を正面側に反射させる構成とした。
【発明の効果】
【０００８】
本発明によれば、請求項１のように構成されているため、照明装置の枠体の任意の辺と反射装置の枠体の任意の辺を簡易に連結させ、照明装置と反射装置を一組の照明装置として活用することができるため、照明装置から照射される光を反射装置で意匠面側に反射させて意匠面を効率よく照射することができ、即ち、少ない電力で意匠面をより明るく照明する省エネ性の高い照明装置を提供することができる。
【０００９】
また、請求項２のように構成されているため、照明装置は必ず少なくとも１ケの反射装置と隣り合い、より効果的に意匠面を照射することができる。
【図面の簡単な説明】
【００１０】
【図１】本発明の第一の実施形態に係る照明装置の斜視図である。（実施例１）
【図２】図１に示す照明装置の枠体の断面図である。
【図３】本発明の第一の実施形態に係る反射装置の斜視図である。
【図４】図３に示す反射装置の枠体の断面図である。
【図５】照明装置と反射装置を２枚連結した場合の平面図である。
【図６】照明装置と反射装置を３枚連結した場合の斜視図である。
【図７】本発明の第二の実施形態に係る照明装置の斜視図である。（実施例２）
【発明を実施するための形態】
【００１１】
複数の照明装置の枠体同士を簡易に連結及び分離する構成について、図を用いて説明する。（実施例１）
【００１２】
図１は第一の実施形態に係る照明装置の斜視図を示す。１は略平面パネル状に形成された薄型発光体であり、薄型発光体１の側部または背面部には通電ケーブル２が付設され、通電ケーブル２を介して負荷を与えると薄型発光体１の片面が発光するようになっている。こうして発光された光は、枠体の正背面に同様に設けられた出射穴３の範囲から出射され、照明装置の正面側に均一な光を照射するようになっている。尚、本実施例においては、光の出射方向を正面側として記述する。該薄型発光体１の光源の主たるものとしては、一般的に有機ＥＬパネルやＬＥＤパネルなどが挙げられるが、本発明では発光体の種類に拘らず同様の効果が得られるため、発光体についての詳細な説明は省略する。薄型発光体１の表面には、アクリルやガラス素材で形成された透光板４が設けられており、薄型発光体１から出射された光は透光板４を通して部屋内を照明するようになっている。透光板４には光を拡散或いは集光する効果や、いたずらによる発光体の破損を防止する効果がある。
【００１３】
次いで薄型発光体１の端面に設けられる枠体５について説明する。枠体５は木材や樹脂、金属等で成型されたものであり、薄型発光体１の端面を継ぎ目なく覆うように設けられている。図２に示すように、枠体５の外側面には所定の角度に傾斜した傾斜部５ａ、５ｂが設けられ、その断面形状は左右対称となっており、すなわち傾斜角度Ｘは正背面共に同一角度となっている。傾斜角度Ｘは、薄型発光体の形状や照明装置を組み合わせた際のデザイン性、及び連結時の安定性等に配慮して適宜決定され、本実施例で示すような四角形状の照明装置の場合には、正背面ともに４５度の傾斜で成型するのが望ましい。また、傾斜部５ａ、５ｂが交わる頂点部分には、安全性や意匠性に配慮して任意の面取りが成されている。また、枠体の外側面５ａ、５ｂの内部には永久磁石６が備えられており、２ケの照明装置を任意の傾斜部同士で当接させると、永久磁石６の磁力によって夫々が吸着され、照明装置が連結するように構成されている。尚、図２におて永久磁石６は傾斜部５ａ、５ｂ各々に設けるものとしているが、傾斜部の中央部に永久磁石を１ケ設け、両傾斜部の磁石を兼用させるものとしても良い。
【００１４】
一方、枠体５の内側面には凹部５ｃが形成されており、薄型発光体１と透光板４を凹部５ｃに挿入すると、一定の掛かり代を持って凹部５ｃに把持され、接着剤やボルト等を用いて固設しなくとも枠体５の内側面に薄型発光体１と透光板４が係止され、枠体５から脱落しないように構成されている。
【００１５】
枠体５は上記ように構成されているため、断面形状は左右対称で枠体自体には正背面の区別はなく、例えば薄型発光体を２枚を背中合わせに重ねて挿入すれば、どちらの面も発光面とすることができる。このように応用すると照明装置の正背面の区別がなくなり、更にフレキシブルに照明装置を活用することもできる。
【００１６】
本実施例の照明装置は上述のように構成されているため、部品点数が少なく軽量、安価であり、また、枠体５の断面形状が左右対称であるため、製造や組み立ての勝手も良い。
【００１７】
次に、図３により本実施例に係る反射装置について説明する。反射板７は、照明装置から発せられる光を効率よく反射させるものであり、その表面には反射率の高い素材が用いられ、一般的には樹脂製の反射フィルムや鏡面素材が付着したガラス、及び鏡面素材のステンレス等が使用されている。反射板７の外形と寸法は、前述の薄型発光体１と同等であり、その厚さは薄型発光体１と透光板４を重ね合わせた時の寸法と同一か、それに近似するものとなっている。反射装置の枠体は、前述の照明装置の枠体と同一の構成であり、外側面５ａ、５ｂの内部に設けられた永久磁石６及び、出射穴３についても前述のものと同一である。これにより、照明装置と同様、枠体５の凹部５ｃに反射板７を挿入するだけでボルト等を要さず枠体５の内側面に反射板７が係止するようになっている。このように、照明装置と多数の部品を共有することができ、照明装置の薄型発光体１と透光板４の代わりに反射板を挿入すれば、容易に反射装置を構成することができる。尚、２枚の反射板７を用いて、各々の反射面が外側に向かうように背中合わせに重ね合わせて使用すれば、反射装置の両面で光を反射する効果が得られ、更にフレキシブルに反射装置を活用することができる。但し、この場合は反射板の厚みが増すため、枠体の凹部５ｃの寸法を拡張させるか薄型の反射板を用いるなどの対応が必要となる。
【００１８】
次に、照明装置と反射装置を連結した際の構成について説明する。図５は照明装置８と反射装置９を連結した場合の平面図である。上述の通り、傾斜部５ａ、５ｂには、永久磁石６が設けれらているため、枠体の傾斜部同士を当接させると永久磁石６の磁力によって引き合わされ、連結される。永久磁石６の配置は、照明装置を連結した際に、各々の照明装置が前後、左右、上下にずれないように配慮されており、磁力で引き合わされると同時に傾斜部同士が密着し、直ちに連結が完了する。万一多少のずれが生じた際には手作業で修正すれば良い。また、一方の装置を手に持って持ち上げたり軽く揺すったりしたとしても、磁力不足により他方の装置がずれて動いたり、脱落しないように配慮して永久磁石６が選定されている。また、照明装置を正背面どちらの向きで連結させても、その連結方法や連結強度に影響を及ぼすことがない。
【００１９】
引き続き照明装置８が点灯した際の作用について説明する。照明装置８の照射光１０は、図５の矢印で示すように照明装置８の正面側に万遍なく均一に広がって照射される。そして照射光１０の一部は、反射装置９に向かって照射され、反射装置９に到達した光の一部が、反射光１１となって図５の矢印のように反射される。反射装置９に向かって照射された光が反射する割合は、該反射板７の素材特有の反射率によって決定されることになる。このように、照明装置８に反射装置９を隣接させ照明装置８を点灯すると、連結した装置の正面側に効率よく照射されることになる。この時、正面側に照射される光量は、照明装置２ケを同様に連結して点灯させた場合に正面側に照射される総光量の１／２よりも多く、即ち反射装置９を用いた照明装置は、正面側への集光効果が高く省エネ性の高い照明装置であると言える。
【００２０】
また、反射板７の素材に鏡面素材を使用する場合にあっては、連結した装置の正面側から反射装置９を目視した時に、照明装置８が反射板７に映り込み、あたかも反射装置９が点灯しているかのように見えることになる。この作用によって輝度が増加し実際の明るさよりも明るく見えるという効果も付加され、更に、不点灯時と点灯時の表情が変化するため意匠的にも面白味が増すという付加効果がある。
【００２１】
図６は１ケの照明装置８と２ケの反射装置９を連結した際の一例を示している。前述した図５の場合と同様、照明装置８の照射光１０は、照明装置８の正面側に万遍なく均一に広がって照射されている。そして照射光１０の一部は、２ケの反射装置９に向かって照射され、反射装置９到達した光の一部が図示しない反射光となって正面側に照射される。このように反射装置を２ケ使用する場合には、反射装置１ケの場合よりも反射する光量が増加し、図５に示すものよりも正面側への集光効果が高まり、省エネ性が更に高まるという効果がある。また、この場合にも反射板７の素材に鏡面素材を使用すると、連結した装置の正面側から目視した時に反射装置９に照明装置８が映り込んで見え、あたかも３ケの照明装置が点灯しているように見えるため、輝度が増加し、実際の明るさよりも更に明るく見えるという効果がある。また、不点灯時と点灯時の意匠性の変化についてもその効果は図５の場合と同様である。
【００２２】
上記の通り構成した本実施例では、薄型発光体と枠体から成る照明装置を組み合わせ一組の照明装置として使用する場合において、枠体の任意の辺と他の照明装置の枠体の任意の辺を簡易に連結及び分離可能とし、特別な連結金具や連結工具を用いることなく誰でも簡単に連結及び分離作業を行うことができ、少ない電力で室内を効率よく照明することができる。また、様々な反射による集光効果や省エネ効果が得られるものを生み出すことができ、そして、その組み合わせのバリエーションは無限であり、見た目にも美しい新しいデザインを生み出すことができる。このように組み合わせて構成した照明装置は、天井から吊るしてペンダント照明として使用したり、机上に置いてテーブルランプとして使用したり、床面に置いてスタンド照明としたり、壁面に設けてブラケット照明として使用するなど、幅広いシーンで活用することができる。
【００２３】
実施例１では照明装置と反射装置の一例として四角形状のものにて述べたが、図７の如く六角形状の場合や、その他の多角形状の場合も同様の効果を得ることができる（実施例２）。但し、これらの場合には、枠体の傾斜角度Ｘをアレンジする必要がある。この場合は照明装置を連結した際に磁力不足とならないように、隣接する枠体同士の接触面積が最大化するように傾斜角度Ｘを決定すればよい。
【産業上の利用可能性】
【００２４】
本発明は、ビルやホテル等の商業施設の照明や、一般住宅照明等に活用でき、天井吊り下げや床置き、デスクスタンドや壁面への設置など幅広く活用することができる。
【符号の説明】
【００２５】
１  薄型発光体
２  通電ケーブル
３  出射穴
４  透光板
５  枠体
５ａ、５ｂ  枠体の傾斜部
５ｃ        枠体の凹部
６  永久磁石
７  反射板
８  照明装置
９  反射装置
１０  照射光
１１  反射光
【図１】
2014164962.tif 000003
【図２】
2014164962.tif 000004
【図３】
2014164962.tif 000005
【図４】
2014164962.tif 000006
【図５】
2014164962.tif 000007
【図６】
2014164962.tif 000008
【図７】
2014164962.tif 000009